(57)【特許請求の範囲】
【請求項１】
カメラ（１Ｃ）を有する集合玄関機（１）を制御機（２）に接続し、前記制御機を映像幹線（Ｌ）、音声幹線を介して複数の居室機（３、３、…）のモニタ（３１）、送受器（３２）にそれぞれバス接続し、前記制御機から電源および映像信号を前記映像幹線に介在された分岐器（４）を経由して前記複数の居室機のモニタに分岐供給し、前記集合玄関機から各居室機を呼出して前記映像信号を前記モニタに出画し、通話を行なう集合住宅テレビインターホン装置であって、
各分岐器内に、前記映像幹線に送られた交流または直流電源を整流するダイオードブリッジ（４４）と、前記映像幹線に供給されるべき最低電圧に設定された閾値電圧を有するツェナーダイオード（４１）と、前記ツェナーダイオードに前記閾値電圧以上の電圧が印加されたとき点灯する表示灯（４２）と、前記ツェナーダイオードに流れる電流を制限するよう抵抗値が設定された抵抗（４３）とを備え、前記ツェナーダイオード、前記表示灯、前記抵抗は前記ダイオードブリッジで整流された電流が通電されるように前記ダイオードブリッジに直列に接続されることを特徴とする集合住宅テレビインターホン装置。
【発明の詳細な説明】
【０００１】
【発明の属する技術分野】
本発明は集合住宅テレビインターホン装置に関し、特に居室外部から映像幹線の電圧監視が可能な集合住宅テレビインターホン装置に係わる。
【０００２】
【従来の技術】
従来の集合住宅テレビインターホン装置は、図３に示すように、集合玄関機１と、複数の居室機３、３、…と、集合玄関機１に接続され映像幹線Ｌを介して複数の居室機３、３、…に接続される制御機２と、制御機２から電源および映像信号を複数の居室機３、３、…のモニタ３１に分岐供給する複数の分岐器４０、４０、…とを備えている。
【０００３】
集合玄関機１は、来訪者を撮像するカメラ１Ｃ、居室機３を呼出すテンキー１Ｔ、居室機３内の人と通話するマイク１Ｍ、スピーカ１Ｓを備え、各居室機３は、集合玄関機１のカメラ１Ｃから送信された映像を写し出すモニタ３１、集合玄関機１の来訪者と通話する送受器３２を備えている。
【０００４】
集合玄関機１に接続された制御機２は、映像幹線Ｌ、音声幹線（図示せず）を介して各居室機３のモニタ３１、送受器３２にそれぞれバス接続される。この集合住宅テレビインターホン装置は、制御機２から電源および映像信号を映像幹線Ｌに介在された分岐器４０を経由して複数の居室機３、３、…のモニタ３１、３１、…に分岐供給し、集合玄関機１から居室機３を呼出して映像信号をモニタ２１に出画し、音声幹線を介して通話を行なうものである。
【０００５】
【発明が解決しようとする課題】
この集合住宅テレビインターホン装置では、ある居室３において電源供給に不具合が発生した場合、居室機３に正常電圧が供給されるか否かを、その居室３に対応する分岐器４０の分岐部Ｔ７、Ｔ８において、映像幹線Ｌから電圧が正常に供給されているか、分岐回路４５から電圧が正常に供給されているか等をチェックするため、テスター等の検査機器を用いて電源電圧を測定しなければならなかった。
【０００６】
更に、不具合の発生が複数の居室に及ぶ場合、集合住宅の階数や居室数が多いと、どこに異常があるのかを特定するのに手間取るという難点があった。
【０００７】
本発明は、このような難点を解消するためになされたもので、映像幹線の電圧監視状況を居室外に表示して、即座に異常箇所の発見が可能な集合住宅テレビインターホン装置を提供することを目的としている。
【０００８】
【課題を解決するための手段】
この目的を達成するため、本発明の集合住宅テレビインターホン装置は、カメラを有する集合玄関機を制御機に接続し、制御機を映像幹線、音声幹線を介して複数の居室機のモニタ、送受器にそれぞれバス接続し、制御機から電源および映像信号を映像幹線に介在された分岐器を経由して複数の居室機のモニタに分岐供給し、集合玄関機から各居室機を呼出して映像信号をモニタに出画し、通話を行なう集合住宅テレビインターホン装置であって、各分岐器内に、前記映像幹線に送られた交流または直流電源を整流するダイオードブリッジと、映像幹線に供給されるべき最低電圧に設定された閾値電圧を有するツェナーダイオードと、ツェナーダイオードに閾値電圧以上の電圧が印加されたとき点灯する表示灯と、ツェナーダイオードに流れる電流を制限するよう抵抗値が設定された抵抗とを備え、ツェナーダイオード、表示灯、抵抗はダイオードブリッジで整流された電流が通電されるようにダイオードブリッジに直列に接続される。
【０００９】
各分岐器内に、映像幹線に供給されるべき最低電圧に設定された閾値電圧を有するツェナーダイオードと、閾値電圧以上の電圧が印加されたとき点灯する表示灯とを備えているので、所定以上の電圧が供給されないと、表示灯が点灯せず異常箇所が即座に特定できる。
【００１０】
【発明の実施の形態】
以下、本発明の集合住宅テレビインターホン装置をその好ましい実施の形態例について図面を参照して詳述する。
【００１１】
図１に示すように、本発明の集合住宅テレビインターホン装置は、集合玄関機１と、複数の居室機３、３、…と、集合玄関機１に接続され映像幹線Ｌを介して複数の居室機３、３、…に接続される制御機２と、制御機２から電源および映像信号を複数の居室機３、３、…のモニタ３１に分岐供給する複数の分岐器４、４、…とを備えている。
【００１２】
集合玄関機１は、来訪者を撮像するカメラ１Ｃ、居室機３を呼出すテンキー１Ｔ、居室機３内の人と通話するマイク１Ｍおよびスピーカ１Ｓを備え、各居室機３、３、…は、集合玄関機１のカメラ１Ｃから送信された映像を写し出すモニタ３１、集合玄関機１の来訪者と通話する送受器３２を備えている。
【００１３】
集合玄関機１に接続された制御機２は、映像幹線Ｌ、音声幹線（図示せず）を介して各居室機３、３、…のモニタ３１、送受器３２にそれぞれバス接続され、居室外に設けられ、映像幹線Ｌに介在された分岐器４を経由して、制御機２から電源および映像信号を複数の居室機３、３、…の各モニタ３１、３１、…に分岐供給し、集合玄関機１から居室機３を呼出して映像信号をモニタ３１に出画し、音声幹線を介して通話を行なうものである。
【００１４】
電源および映像信号を制御機２から各居室機３、３、…のモニタ３１、３１、…に分岐供給する各分岐器４、４、…は、映像幹線Ｌに供給されるべき最低電圧に設定された閾値電圧を有するツェナーダイオード４１と、ツェナーダイオード４１に閾値電圧以上の電圧が印加されたとき点灯する表示灯４２としてのＬＥＤと、ツェナーダイオード４１に流れる電流を制限するよう抵抗値が設定された抵抗４３と、映像幹線Ｌに送られた交流または無極性接続された直流電源を整流するダイオードブリッジ４４および映像幹線Ｌから居室機３に供給される電源および映像信号を分岐する分岐回路４５とを備え、ツェナーダイオード４１、表示灯４２、抵抗４３およびダイオードブリッジ４４は互いに直列に、分岐回路４５とは並列に接続されている。
【００１５】
分岐器４の外観は図２に示すとおりで、分岐器４のＬＥＤ４２が点灯していれば、該当する分岐回路４５から居室機３へ電源が正常に供給されているものと推定される。
【００１６】
以下に、本発明の集合住宅テレビインターホン装置の動作を説明する。
【００１７】
制御機２から交流または直流電源（無極性接続の場合）および映像信号が映像幹線Ｌに送られる。電源および映像信号は、映像幹線Ｌから分岐部Ｔ１、Ｔ２と分岐回路４５を経由して分岐され、居室機３へ送られる。
【００１８】
分岐回路４５と並列に接続されたダイオードブリッジ４４、ＬＥＤ４２、抵抗４３およびツェナーダイオード４１からなる回路に入る電流は、ダイオードブリッジ４４で整流され、ツェナーダイオード４１に設定された電圧以上の電源が制御機２から供給されているときにはＬＥＤ４２が点灯する。
【００１９】
制御機２から電源が供給されていないとき、映像幹線Ｌから分岐部Ｔ１、Ｔ２が正しく接続されていないとき、また、映像幹線Ｌにトラブルがあって映像幹線Ｌの損失が大きいときにはＬＥＤ４２は点灯しない。
【００２０】
ある居室機３において電源供給に不具合が発生した場合、その居室に分岐させる分岐器４のＬＥＤ４２の点灯をチェックすれば、分岐回路４５より居室機３側に問題が在るのか、映像幹線Ｌからの分岐部Ｔ１、Ｔ２の接続または映像幹線Ｌのトラブルなのかが即座に判定できる。
【００２１】
不具合の発生が複数の居室に及ぶ場合でも、映像幹線Ｌ側のトラブルか、居室内の異常かが居室外から速やかに特定される。
【００２２】
ツェナーダイオード４１を採用して、ツェナーダイオード４１に設定した電圧以下の電圧ではＬＥＤ４２が点灯しないので、映像幹線Ｌにかかる電圧値の監視も行うことができる。
【００２３】
【発明の効果】
以上の説明から明らかなように本発明の集合住宅テレビインターホン装置によれば、所定以上の電圧が供給されないと表示灯が点灯せず、居室外から異常箇所が即座に特定できる。
【図面の簡単な説明】
【図１】本発明の集合住宅テレビインターホン装置の一実施例を示すブロック図である。
【図２】本発明による集合住宅テレビインターホン装置の分岐器の外観図である。
【図３】従来の集合住宅テレビインターホン装置を示す説明するブロック図である。
【符号の説明】
１…集合玄関機
１Ｃ…カメラ
２…制御機
３…居室機
３１…モニタ
３２…送受器
４…分岐器
４１…ツェナーダイオード
４２…表示灯
Ｌ  …映像幹線
４３…抵抗
４４…ダイオードブリッジ
【図１】
0003569091.tif 000002
【図２】
0003569091.tif 000003
【図３】
0003569091.tif 000004